(57)【特許請求の範囲】
【請求項１】
特定の部分を含む画像データに基づいて画像を表示するための表示手段と、
前記表示手段が保持される向きを検出するための検出手段と、
前記表示手段の表示態様を制御するための表示制御手段とを備え、
前記表示制御手段は、前記表示手段の保持される向きが第１の向きから第２の向きに変更された場合に、前記特定の部分の画像を、前記表示手段の保持の向きに合わせて回転させて拡大表示し、
前記表示手段の保持される向きが前記第１の向きから前記第２の向きに変更された場合、前記表示手段における表示領域の長手方向が変更され、
前記表示制御手段は、
前記表示手段の向きが前記第１の向きにあるときに、前記表示領域の長手方向と前記特定の部分の画像の長手方向が交わるか否かを判断し、
交わると判断したときには、前記表示手段の保持される向きが第１の向きから第２の向きに変更された場合に、前記特定の部分の画像を、前記表示手段の保持の向きに合わせて回転させて拡大表示し、
交わらないと判断したときには、前記表示手段の保持される向きが第１の向きから第２の向きに変更された場合に、前記特定の部分の画像を、回転させることなく拡大表示させる、操作表示装置。
【請求項２】
画像データを処理する画像処理手段をさらに備え、
前記特定の部分は、前記画像処理手段によって処理される画像データのプレビュー画面を表示する部分である、請求項１に記載の操作表示装置。
【請求項３】
前記特定の部分は、前記操作表示装置における操作の指示を入力するための画像を表示する部分である、請求項１または請求項２に記載の操作表示装置。
【請求項４】
前記操作の指示を入力するための画像を表示する部分は、前記操作の指示を入力するための複数の画像をスクロール可能にリスト表示した部分である、請求項３に記載の操作表示装置。
【請求項５】
前記表示制御手段は、前記操作の指示を入力するための画像を表示する部分の画像を拡大表示することにより、前記リスト表示において、スクロールによらず表示される前記操作の指示を入力するための画像の数を多くする、請求項４に記載の操作表示装置。
【請求項６】
前記表示制御手段は、前記表示手段に、複数の前記特定の部分を含む画像データを表示し、
複数の前記特定の部分から１の前記特定の部分の選択を入力するための入力手段をさらに備え、
前記表示制御手段は、前記表示手段の保持される向きが前記第１の向きから前記第２の向きに変更された場合に、選択された前記特定の部分の画像の表示を拡大させる、請求項１〜請求項５のいずれかに記載の操作表示装置。
【請求項７】
前記表示制御手段は、前記表示手段の保持される向きが前記第２の向きから前記第１の向きに変更された場合に、前記特定の部分の表示の拡大を解除する、請求項１〜請求項６のいずれかに記載の操作表示装置。
【請求項８】
前記表示制御手段は、前記表示手段の保持される向きが前記第１の向きから前記第２の向きに変更された場合に、前記特定の部分の画像を、前記表示手段に、縦横比を変更することなく最大で表示させる、請求項１〜請求項７のいずれかに記載の操作表示装置。
【請求項９】
特定の部分を含む画像データに基づいて画像を表示するための表示手段を備える操作表示装置のコンピューターによって実行される、前記操作表示装置の制御方法であって、
前記表示手段が保持される向きを検出するステップと、
前記表示手段の保持される向きが第１の向きから第２の向きに変更された場合に、前記特定の部分の画像を、前記表示手段の保持の向きに合わせて回転させて、拡大表示させるステップと、
前記表示手段の保持される向きが前記第１の向きから前記第２の向きに変更された場合、前記表示手段における表示領域の長手方向を変更するステップと、
前記表示手段の向きが前記第１の向きにあるときに、前記表示領域の長手方向と前記特定の部分の画像の長手方向が交わるか否かを判断するステップと、
前記判断するステップにおいて交わると判断されたときに、前記表示手段の保持される向きが第１の向きから第２の向きに変更された場合に、前記特定の部分の画像を、前記表示手段の保持の向きに合わせて回転させて拡大表示するステップと、
前記判断するステップにおいて交わらないと判断したときに、前記表示手段の保持される向きが第１の向きから第２の向きに変更された場合に、前記特定の部分の画像を、回転させることなく拡大表示させるステップとを備える、操作表示装置の制御方法。
【請求項１０】
特定の部分を含む画像データに基づいて画像を表示するための表示手段を備える操作表示装置のコンピューターが実行可能なプログラムであって、
前記プログラムは、前記コンピューターに、
前記表示手段が保持される向きを検出するステップと、
前記表示手段の保持される向きが第１の向きから第２の向きに変更された場合に、前記特定の部分の画像を、前記表示手段の保持の向きに合わせて回転させて、拡大表示させるステップと、
前記表示手段の保持される向きが前記第１の向きから前記第２の向きに変更された場合、前記表示手段における表示領域の長手方向を変更するステップと、
前記表示手段の向きが前記第１の向きにあるときに、前記表示領域の長手方向と前記特定の部分の画像の長手方向が交わるか否かを判断するステップと、
前記判断するステップにおいて交わると判断されたときに、前記表示手段の保持される向きが第１の向きから第２の向きに変更された場合に、前記特定の部分の画像を、前記表示手段の保持の向きに合わせて回転させて拡大表示するステップと、
前記判断するステップにおいて交わらないと判断したときに、前記表示手段の保持される向きが第１の向きから第２の向きに変更された場合に、前記特定の部分の画像を、回転させることなく拡大表示させるステップとを実行させる、操作表示装置の制御プログラム。
【発明の詳細な説明】
【技術分野】
【０００１】
本発明は、操作表示装置、その制御方法およびその制御プログラムに関し、特に、表示部の方向を変えることができる操作表示装置、その制御方法およびその制御プログラムに関する。
【背景技術】
【０００２】
操作入力装置の一例であるタッチパネルでは、近年、静電型タッチパネルが導入されている。そして、その意匠設計においては、狭額縁化やフラットデザイン化が図られ、また、ハードウェアキーが極力廃止されている。
【０００３】
このようなタッチパネルは、スマートフォンやタブレット端末に代表されるタッチ操作が主体の新しい操作入力装置の主流となってきている。一般的なタブレット端末では、写真やテキスト文書等の画像表示を行なうアプリケーションに、対象の表示画像がユーザーから見て常に正立するような制御が搭載されている。
【０００４】
このような、表示画像を常にユーザーに対して正立表示させる機能を備える操作表示装置では、アプリケーションレベルで自動回転表示を有効とするか否かが設定される。また、上記のような制御は、写真ビュアーやテキスト文書などの閲覧の際には、正立表示が非常に見やすくユーザーの使い勝手の良い機能として活用されている。
【０００５】
たとえば、特許文献１（特開２０１０−０５５５１１号公報）には、画像データに基づいて画面に画像を表示する表示部とタッチパネルと角度検出部とを備え、タッチ操作中の表示部の回転角度に応じて表示画像を拡大または縮小表示することで、表示画像をユーザーから常に正立するように、かつ、ズーム操作における拡大縮小表示と注目対象の移動の処理を迅速かつ簡潔に行なうものが提案されている。
【先行技術文献】
【特許文献】
【０００６】
【特許文献１】特開２０１０−０５５５１１号公報
【発明の概要】
【発明が解決しようとする課題】
【０００７】
コピーやファックス等の複数の機能を備えた複合機の一例であるＭＦＰ（Multi-Functional  Peripheral）に備えられたタッチパネルのように、様々な機能の設定や他画画へ遷移するための操作アイコン（ボタン）を配置される操作入力装置では、横長のＬＣＤ（Liquid  Crystal  Display）表示を基準に表示画像を作成するのが通例である。
【０００８】
そして、縦長方向へ表示装置の方向を変えることができる（可動型の）操作表示装置である場合や、可搬型の脱着式操作表示装置である場合には、固定式の表示装置では発生しなかった以下の問題が発生する。
【０００９】
たとえば、表示機能の一つとしてユーザーから見て常に画像が正立するような回転表示機能があるが、表示装置がこのような回転表示機能を備えると、横長のＬＣＤ表示を基準に設計された（横長の）表示画像は、縦長方向に回転保持した場合に、ＬＣＤ表示の幅寸法に合わせて表示画像全体が縮小表示される。このため、文字や写真などが小さく表示されることによって視認性が悪化するという問題がある。
【００１０】
この問題は、タッチパネルアイコン操作等で拡大表示操作キ一入力を行なうことによって、所定の倍率に拡大表示することにより解決できるとも考えられるが、意図した部分にフォーカスして表示を拡大させることが困難な場合がある。このため、等倍表示の描画表示中心を基準に拡大表示することしかできない場合があった。
【００１１】
また、マルチタッチ操作に対応したタッチパネルであればピンチ操作を行なうことで任意のエリアにフォーカスした鉱大表示操作が可能である。しかしながら、ユーザーが意図した領域を全て拡大表示できるか否かは、拡大操作における固定倍率設定に依存する。このため、拡大を意図した領域が、拡大後の画面に含まれない場合も有り得る。
【００１２】
さらに、表示装置の保持方向を回転させた場合、そのたびに、ユーザーは拡大操作を行なわなければならないなど、ユーザーにおける操作手順が増え、操作が煩わしくなるとも考えられる。
【００１３】
また、上述した特許文献１に開示される従来の操作入力装置では、ズーム操作における拡大表示と注目対象の移動操作を迅速に行なうことはできるものの、対象領域を選択するタッチ操作が必要であり、必ずしも使い勝手の良い操作方法であるとは言えない。特に、操作表示装置の保持方向が９０度回転された際に表示画像をユーザーから正立するよう９０度回転表示させる表示機能を実現する場合には、ユーザーは、対象領域をタッチ操作しながら保持方向の変更操作を行なう必要があり、極めて操作が困難である。
【００１４】
本発明は係る実情に鑑み考え出されたものであり、その目的は、煩わしい操作を伴うことなく、表示画面に表示された画像の中の一部の視認性を高めることができる操作表示装置、その制御方法およびその制御プログラムを提供することである。
【課題を解決するための手段】
【００１５】
本発明に従った操作表示装置は、特定の部分を含む画像データに基づいて画像を表示するための表示手段と、表示手段が保持される向きを検出するための検出手段と、表示手段の表示態様を制御するための表示制御手段とを備え、表示制御手段は、表示手段の保持される向きが第１の向きから第２の向きに変更された場合に、特定の部分の画像を、表示手段の保持の向きに合わせて回転させて拡大表示し、表示手段の保持される向きが第１の向きから第２の向きに変更された場合、表示手段における表示領域の長手方向が変更され、表示制御手段は、表示手段の向きが第１の向きにあるときに、表示領域の長手方向と特定の部分の画像の長手方向が交わるか否かを判断し、交わると判断したときには、表示手段の保持される向きが第１の向きから第２の向きに変更された場合に、特定の部分の画像を、表示手段の保持の向きに合わせて回転させて拡大表示し、交わらないと判断したときには、表示手段の保持される向きが第１の向きから第２の向きに変更された場合に、特定の部分の画像を、回転させることなく拡大表示させる。
【００１６】
好ましくは、画像データを処理する画像処理手段をさらに備え、特定の部分は、画像処理手段によって処理される画像データのプレビュー画面を表示する部分である。
【００１７】
好ましくは、特定の部分は、操作表示装置における操作の指示を入力するための画像を表示する部分である。
【００１８】
好ましくは、操作の指示を入力するための画像を表示する部分は、操作の指示を入力するための複数の画像をスクロール可能にリスト表示した部分である。
好ましくは、表示制御手段は、操作の指示を入力するための画像を表示する部分の画像を拡大表示することにより、リスト表示において、スクロールによらず表示される操作の指示を入力するための画像の数を多くする。
好ましくは、表示制御手段は、表示手段に、複数の特定の部分を含む画像データを表示し、複数の特定の部分から１の特定の部分の選択を入力するための入力手段をさらに備え、表示制御手段は、表示手段の保持される向きが第１の向きから第２の向きに変更された場合に、選択された特定の部分の画像の表示を拡大させる。
【００１９】
好ましくは、表示制御手段は、表示手段の保持される向きが第２の向きから第１の向きに変更された場合に、特定の部分の表示の拡大を解除する。
【００２０】
好ましくは、表示制御手段は、表示手段の保持される向きが第１の向きから第２の向きに変更された場合に、特定の部分の画像を、表示手段に、縦横比を変更することなく最大で表示させる。
【００２２】
本発明に従った操作表示装置の制御方法は、特定の部分を含む画像データに基づいて画像を表示するための表示手段を備える操作表示装置のコンピューターによって実行される、操作表示装置の制御方法であって、表示手段が保持される向きを検出するステップと、表示手段の保持される向きが第１の向きから第２の向きに変更された場合に、特定の部分の画像を、表示手段の保持の向きに合わせて回転させて、拡大表示させるステップと、表示手段の保持される向きが第１の向きから第２の向きに変更された場合、表示手段における表示領域の長手方向を変更するステップと、表示手段の向きが第１の向きにあるときに、表示領域の長手方向と特定の部分の画像の長手方向が交わるか否かを判断するステップと、判断するステップにおいて交わると判断されたときに、表示手段の保持される向きが第１の向きから第２の向きに変更された場合に、特定の部分の画像を、表示手段の保持の向きに合わせて回転させて拡大表示するステップと、判断するステップにおいて交わらないと判断したときに、表示手段の保持される向きが第１の向きから第２の向きに変更された場合に、特定の部分の画像を、回転させることなく拡大表示させるステップとを備える。
【００２３】
本発明に従った操作表示装置の制御プログラムは、特定の部分を含む画像データに基づいて画像を表示するための表示手段を備える操作表示装置のコンピューターが実行可能なプログラムであって、プログラムは、コンピューターに、表示手段が保持される向きを検出するステップと、表示手段の保持される向きが第１の向きから第２の向きに変更された場合に、特定の部分の画像を、表示手段の保持の向きに合わせて回転させて、拡大表示させるステップと、表示手段の保持される向きが第１の向きから第２の向きに変更された場合、表示手段における表示領域の長手方向を変更するステップと、表示手段の向きが第１の向きにあるときに、表示領域の長手方向と特定の部分の画像の長手方向が交わるか否かを判断するステップと、判断するステップにおいて交わると判断されたときに、表示手段の保持される向きが第１の向きから第２の向きに変更された場合に、特定の部分の画像を、表示手段の保持の向きに合わせて回転させて拡大表示するステップと、判断するステップにおいて交わらないと判断したときに、表示手段の保持される向きが第１の向きから第２の向きに変更された場合に、特定の部分の画像を、回転させることなく拡大表示させるステップとを実行させる。
【発明の効果】
【００２４】
本発明によれば、表示手段の保持される向きが第１の向きから第２の向きに変更された場合に、当該表示手段に表示されていた特定の部分の画像が、その保持の向きに合わせて回転させた上で、拡大して表示される。
【００２５】
これにより、ユーザーは、表示手段を保持する向きを変更させた場合、特定の部分の画像の拡大表示のための煩わしい操作をすることなく、拡大された当該画像を見ることができる。
【図面の簡単な説明】
【００２６】
【図１】本実施の形態に係る複合機の内部のハードウェア構成を表わす背面断面図である。
【図２】図１の複合機のエンジン部分のハードウェア構成を表わす背面断面図である。
【図３】図１の複合機の外観を示す図である。
【図４】図１の複合機の制御ブロック図である。
【図５】図１の複合機の操作パネルの構成を説明するための図である。
【図６】操作パネルの保持方向を変更したときのディスプレイ装置における表示内容の変更を説明するための図である。
【図７】ディスプレイ装置における表示画面のデータの構成を説明するための図である。
【図８】ディスプレイ装置における表示画面のデータの構成を説明するための図である。
【図９】本実施の形態の複合機の比較例における操作パネルの表示内容を説明するための図である。
【図１０】回転表示処理のフローチャートである。
【図１１】回転解除表示処理のフローチャートである。
【図１２】複合機の変形例の構成を模式的に示す図である。
【図１３】図１２の複合機の制御ブロック図である。
【図１４】複合機の変形例におけるディスプレイ装置における表示内容を説明するための図である。
【図１５】複合機の変形例におけるディスプレイ装置における表示内容を説明するための図である。
【図１６】複合機の変形例におけるディスプレイ装置における表示内容を説明するための図である。
【図１７】図１６の（Ａ）の画面の構成を模式的に示す図である。
【図１８】操作パネルの回転に伴った画像データの生成を説明するための図である。
【図１９】複数の特定の画像から拡大および回転表示させる画像の選択を受付ける処理のフローチャートである。
【図２０】図１９の処理における設定画面の一例を示す図である。
【発明を実施するための形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
＜操作表示装置の内部構造＞
図１は、本実施の形態に係る複合機９００の内部のハードウェア構成を表わす背面断面図である。図２は、図１の複合機９００のエンジン部分のハードウェア構成を表わす背面断面図である。まず、本実施の形態に係る複合機９００のの内部構造の一態様について説明する。
【００２９】
本実施の形態では、複合機９００の一例として、タンデム型のデジタルカラー複合機について説明する。なお、デジタルカラー複合機は、一般的に、セットされた原稿の画像を読み取ってＨＤＤ（Hard  disk  drive）等に蓄積するスキャンジョブ、さらにそれを用紙等にプリントするコピージョブパーソナルコンピューター（以下、ＰＣとも記載する。）等の外部端末からの印刷指示に基づいて用紙に印刷するプリントジョブファクシミリ装置等からファクシミリデータを受信してＨＤＤ等に蓄積するファクシミリジョブＨＤＤ等に蓄積された画像を用紙等に印刷するＨＤＤプリントジョブ（ＢＯＸプリントジョブ）等を実行することができる。
【００３０】
図１および図２を参照して、本体１の上部には、原稿２を一枚ずつ分離した状態で自動的に搬送する自動原稿搬送装置（ＡＤＦ）３と、自動原稿搬送装置３によって搬送される原稿２の画像を読み取る画像読取装置４が配置されている。画像読取装置４は、プラテンガラス５上に載置された原稿２を光源６によって照明する。画像読取装置４は、原稿２からの反射光像を、フルレートミラー７及びハーフレートミラー８、９及び結像レンズ１０からなる縮小光学系を介してＣＣＤ（Charge  Coupled  Device）等からなる画像読取素子１１上に走査露光する。画像読取装置４は、画像読取素子１１を用いて、原稿２の色材反射光像を所定のドット密度（例えば、１６ドット／ｍｍ）で読み取るようになっている。
【００３１】
画像読取装置４は、ＦＡＸ送信原稿の読み取りや、Ｓｃａｎ  ｔｏ  Ｅ−Ｍａｉｌや、Ｂｏｘ保存などの原稿読み取り機能を備えている。画像読取装置４によって読み取られた原稿２の色材反射光像は、例えば、赤（Ｒ）、緑（Ｇ）、青（Ｂ）（各８ｂｉｔ）の３色の原稿反射率データとして画像処理部１２に送られる。
【００３２】
画像処理部１２は、原稿２の反射率データに対して、シェーディング補正、位置ズレ補正、明度／色空間変換、ガンマ補正、枠消し、色／移動編集等の所定の画像処理を施す。また、画像処理部１２は、パーソナルコンピューター等から送られてくる画像データに対しても、所定の画像処理を行なうことができる。画像処理部１２で所定の画像処理が施された画像データは、同じく画像処理部１２によって、イエロー（Ｙ）、マゼンタ（Ｍ）、シアン（Ｃ）、黒（Ｋ）（各８ｂｉｔ）の４色の原稿再現色材階調データへと変換される。画像データは、イエロー（Ｙ）、マゼンタ（Ｍ）、シアン（Ｃ）、黒（Ｋ）の各色の画像形成ユニット１３Ｙ、１３Ｍ、１３Ｃ、１３Ｋに対する画像露光を行う、プリントヘッド１４に送られる。画像露光装置としてのプリントヘッド１４は、所定の色の原稿再現色材階調データに応じて、レーザービームＬＢによる画像露光を行う。
【００３３】
ところで、タンデム型のデジタルカラー複合機の場合、本体１の内部には、図１及び図２に示すように、イエロー（Ｙ）、マゼンタ（Ｍ）、シアン（Ｃ）、黒（Ｋ）の４つの画像形成ユニット１３Ｙ、１３Ｍ、１３Ｃ、１３Ｋが、水平方向に一定の間隔をおいて並列的に配置されている。これらの４つの画像形成ユニット１３Ｙ、１３Ｍ、１３Ｃ、１３Ｋは、すべて同様に構成されている。
【００３４】
４つの画像形成ユニット１３Ｙ、１３Ｍ、１３Ｃ、１３Ｋの各々は、所定の速度で回転駆動される像担持体としての感光体ドラム１５と、この感光体ドラム１５の表面を一様に帯電する一次帯電用の帯電ロールと、当該感光体ドラム１５の表面に所定の色に対応した画像を露光して静電潜像を形成する画像露光装置としてのプリントヘッド１４と、感光体ドラム１５上に形成された静電潜像を所定の色のトナーで現像する現像器１７と、感光体ドラム１５の表面を清掃するクリーニング装置１８とから構成されている。
【００３５】
プリントヘッド１４は、図１及び図２に示すように、４つの画像形成ユニット１３Ｙ、１３Ｍ、１３Ｃ、１３Ｋに共通に構成されている。プリントヘッド１４は、図示しない４つの半導体レーザーを各色の原稿再現色材階調データに応じて変調して、これらの半導体レーザーからのレーザービームＬＢ−Ｙ、ＬＢ−Ｍ、ＬＢ−Ｃ、ＬＢ−Ｋを当該階調データに応じて出射する。なお、上記プリントヘッド１４は、複数の画像形成ユニット毎に個別に構成されてもよい。
【００３６】
４つの半導体レーザーから出射された各レーザービームＬＢ−Ｙ、ＬＢ−Ｍ、ＬＢ−Ｃ、ＬＢ−Ｋは、１つの回転多面鏡１９に照射され、回転多面鏡１９によって偏向走査される。その際、上記４つの半導体レーザーから出射された各レーザービームＬＢ−Ｙ、ＬＢ−Ｍ、ＬＢ−Ｃ、ＬＢ−Ｋのうち、レーザービームＬＢ−ＹとレーザービームＬＢ−Ｍは、回転多面鏡１９の一方の側面に照射され、他のレーザービームＬＢ−ＣとレーザービームＬＢ−Ｋは、回転多面鏡１９の他方の側面に照射される。
【００３７】
その結果、レーザービームＬＢ−Ｙ、ＬＢ−Ｍと、レーザービームＬＢ−Ｃ、ＬＢ−Ｋとでは、回転多面鏡１９によって偏向走査される方向が互いに逆方向となる。回転多面鏡１９によって偏向走査されたレーザービームＬＢ−Ｙ、ＬＢ−Ｍ、ＬＢ−Ｃ、ＬＢ−Ｋは、図示しないｆ−θレンズを介して、複数枚の反射ミラー２０１〜２０３によって反射される。レーザービームＬＢ−Ｙ、ＬＢ−Ｍ、ＬＢ−Ｃ、ＬＢ−Ｋは、各画像形成ユニットの感光体ドラム１５上に、ウィンドウ２１を通して斜め下方から走査露光される。
【００３８】
画像処理部１２からは、イエロー（Ｙ）、マゼンタ（Ｍ）、シアン（Ｃ）、黒（Ｋ）の各色の画像形成ユニット１３Ｙ、１３Ｍ、１３Ｃ、１３Ｋに共通して設けられたプリントヘッド１４に、各色の画像データが順次出力され、このプリントヘッド１４から画像データに応じて出射されたレーザービームＬＢ−Ｙ、ＬＢ−Ｍ、ＬＢ−Ｃ、ＬＢ−Ｋは、対応する感光体ドラム１５の表面に走査露光される。これによって、静電潜像が形成される。
【００３９】
そして、感光体ドラム１５上に形成された静電潜像は、図１及び図２に示すように、現像器１７によって、それぞれイエロー（Ｙ）、マゼンタ（Ｍ）、シアン（Ｃ）、黒（Ｋ）の各色のトナー像として現像される。イエロー（Ｙ）、マゼンタ（Ｍ）、シアン（Ｃ）、黒（Ｋ）の各色のトナー像は、各画像形成ユニット１３Ｙ、１３Ｍ、１３Ｃ、１３Ｋの上方にわたって配置された中間転写ベルトユニット２２の中間転写ベルト２５上に、一次転写ロール２６によって多重に転写される。
【００４０】
中間転写ベルト２５は、ドライブロール２７と、バックアップロール２８と、テンションロール２４との間に一定のテンションで掛け回される。中間転写ベルト２５は、図示しない定速性に優れた専用の駆動モーターによって回転駆動されるドライブロール２７によって、所定の方向に所定の速度で循環駆動されるようになっている。中間転写ベルト２５としては、例えば、可撓性を有するポリイミド等の合成樹脂フィルムを帯状に形成し、この帯状に形成された合成樹脂フィルムの両端を溶着等の手段によって接続することにより、無端ベルト状に形成したものなどが用いられる。
【００４１】
上記中間転写ベルト２５上に多重に転写されたイエロー（Ｙ）、マゼンタ（Ｍ）、シアン（Ｃ）、黒（Ｋ）の各色のトナー像は、バックアップロール２８に中間転写ベルトを介して圧接する二次転写ロール２９によって、圧接力及び静電気力により転写材としての転写用紙３０上に二次転写される。これらの各色のトナー像が転写された転写用紙３０は、上方に位置する定着器３１へと搬送される。
【００４２】
二次転写ロール２９は、バックアップロール２８の側方に位置している。二次転写ロール２９は、下方から上方に向けて搬送される転写用紙３０上に、各色のトナー像を一括して二次転写する。そして、各色のトナー像が転写された転写用紙３０は、定着器３１によって熱及び圧力によって定着処理を受けた後、排出ロール３２によって本体１の上部に設けられた排出トレイ３３上に排出される。
【００４３】
なお、本実施の形態においては、給紙カセット３４から所定のサイズの転写用紙３０が、給紙ロール３５及び用紙分離搬送用のロール対３６により、用紙搬送路３７を通って、レジストロール３８まで搬送されて停止される。転写用紙３０は、所定のタイミングで回転するレジストロール３８によって、中間転写ベルト２５の二次転写位置へと送出される。
【００４４】
なお、デジタルカラー複合機において、転写用紙３０の両面に画像形成を行う場合には、片面に画像が定着された転写用紙３０を、排出ロール３２によって排出トレイ３３上にそのまま排出しない。デジタルカラー複合機は、図示しない切替ゲートによって転写用紙３０の搬送方向を切り替え、用紙搬送用のロール対３９を介して転写用紙３０を両面用搬送ユニット４０へと搬送する。
【００４５】
両面用搬送ユニット４０は、搬送経路４１に沿って設けられた図示しない搬送用のロール対を用いて、転写用紙３０の表裏を反転させた状態で、転写用紙３０を再度レジストロール３８へと搬送する。そして、転写用紙３０の裏面に画像が転写・定着した後、転写用紙３０を排出トレイ３３上に排出する。図１および図２のトナーカートリッジ４４Ｙ、４４Ｍ、４４Ｃ、４４Ｋは、それぞれ、イエロー（Ｙ）、マゼンタ（Ｍ）、シアン（Ｃ）、黒（Ｋ）の各色の現像器１７に所定の色のトナーを供給するためのトナーカートリッジである。
【００４６】
＜操作表示装置の外観＞
図３の（Ａ）および図３の（Ｂ）は、複合機９００の外観を示す図である。
【００４７】
まず図３の（Ａ）を参照して、複合機９００の本体１の前面には、操作パネル１００が取り付けられている。操作パネル１００の背面には、当該操作パネル１００を本体１に固定するための連結軸が取り付けられている。つまり、操作パネル１００は、本体１に対して、連結軸を介して回転可能に固定されている。操作パネル１００は、本実施の形態における操作表示装置の一例である。なお、操作パネル１００は、複合機９００の本体からの制御にしたがって動作する場合もある。この場合、複合機９００によって、操作表示装置が構成されることになる。
【００４８】
操作パネル１００は、当該連結軸を中心として、図３の（Ａ）中の矢印Ｒ１が示す向きにも、矢印Ｒ２が示す向きにも、回転可能に構成されている。図３の（Ｂ）は、図３の（Ａ）に示された状態から、操作パネル１００が、矢印Ｒ１が示す向きに９０度回転した状態を示す。なお、操作パネル１００の回転角度は９０度に限定されない。３６０度回転可能である。
【００４９】
＜操作表示装置のハードウェア構成＞
次に、複合機９００（デジタルカラー複合機）のハードウェア構成について、説明する。
【００５０】
図４は、複合機９００の制御ブロック図である。
図４を参照して、複合機９００は、ＣＰＵ１０１と、ＲＯＭ１０２と、ＲＡＭ１０３と、ハードディスクドライブ（ＨＤＤ）１０４と、入力装置制御部１０７と、認証装置制御部１０８と、画像出力装置制御部１０９とを備え、これらはバスで接続されている。
【００５１】
ＣＰＵ１０１は、複合機９００（デジタルカラー複合機）の全体の動作を統括制御するものである。
【００５２】
また、ＲＯＭ１０２は、ＣＰＵ１０１の動作プログラムが格納されたメモリーである。ＲＡＭ１０３は、ＣＰＵ１０１の動作する際の作業領域を提供するためのメモリーである。ＨＤＤ１０４は、コピー画像やＰＣ等のプリント指示端末からの画像データを一時格納したり、スキャン画像等のＢｏｘデータ保存を行なっている。
【００５３】
なお、ＣＰＵ１０１において実行される動作プログラムは、複合機９００に対して着脱可能な記憶媒体に格納されていても良い。この場合、ＣＰＵ１０１は、ドライブ１１２を介して、記憶媒体１１２Ａに格納されたプログラムを読み込む。記憶媒体１１２Ａとしては、ＣＤ−ＲＯＭ（Compact  Disk  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disk）、ＭＤ（Mini  Disk）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read  Only  Memory）などの、不揮発的にプログラムを格納する媒体が挙げられる。
【００５４】
また、複合機９００は、操作パネル１００、入力装置２００、認証装置３００、および、画像出力装置４００を含む。
【００５５】
操作パネル１００は、たとえば、液晶ディスプレイ（ＬＣＤ）などの各種ディスプレイ装置１００−１と、ディスプレイ装置１００−１に重ねて配置されたタッチセンサー１００−２によって構成されるタッチパネルによって、実現される。操作パネル１００は、さらに、タッチパネル用マイクロコンピューター（マイコン）１００−３、３軸センサー１００−４、ＦＰＣ（Flexible  Printed  Circuits）１００−５、および、ＣＰＵ（Central  Processing  Unit）１００−６を備える。また、操作パネル１００は、タッチセンサー１００−２とは別の入力用デバイスとして、ハードウェア・キー（図示略）を備える。操作パネル１００の構成については、図５を参照して後述する。
【００５６】
なお、ＣＰＵ１０１と操作パネル１００を接続する配線の少なくとも一部は、操作パネル１００と本体１を連結させる上記の連結軸の内部を通っている。また、図３の（Ａ）および図３の（Ｂ）を参照して説明したように、操作パネル１００は、本体１に対して回転可能に固定されている。このことから、ＣＰＵ１０１と操作パネル１００を接続する配線の少なくとも一部は、フレキシブル配線とされることが好ましい。
【００５７】
入力装置２００は、図示しないキーボードやマウスなどから構成されている。
認証装置３００は、接触型／非接触型のＩＣ（integrated  circuit）カード認証装置や指静脈認証装置等のいずれかで構成される。
【００５８】
画像出力装置４００は、複合機９００における印刷処理を実行するための部分を意味し、プリントヘッド１４、感光体ドラム１５、クリーニング装置１８、および、画像を形成される用紙を搬送するモーター（図示を省略）を含む。
【００５９】
また、複合機９００は、ＡＤＦ３の動作を制御する制御部１１０、および、画像読取装置４の動作を制御する制御部１１１を含む。
【００６０】
図５は、操作パネル１００の詳細な構成を説明するための図である。
図５をさらに参照して、操作パネル１００では、ディスプレイ装置１００−１と、ディスプレイ装置１００−１の前面に重ねられたタッチセンサー１００−２とによって、タッチパネルが構成される。操作パネル１００では、当該タッチパネルと、当該タッチパネル用のマイコン１００−３が搭載されたＦＰＣ１００−５とが、一体化されたモジュールで、構成されている。
【００６１】
また、操作パネル１００には、操作パネル１００の保持方向を検出するための３軸センサー１００−４が備えられている。３軸センサー１００−４は、互いに異なる３軸のそれぞれについての加速度を検出することにより、操作パネル１００の保持方向を検出する。つまり、図３の（Ａ）および図３の（Ｂ）に示したように操作パネル１００が回転された場合、３軸センサー１００−４は、操作パネル１００の筐体の回転角度を検出することができる。
【００６２】
操作パネル１００では、ディスプレイ装置１００−１、ＦＰＣ１００−５、および、３軸センサー１００−４は、それぞれ操作パネル制御用のＣＰＵ１００−６と接続されている。ＣＰＵ１００−６は、ディスプレイ装置１００−１の駆動を制御し、タッチセンサー１００−２に入力された情報を処理し、そして、３軸センサー１００−４の検出出力を処理する。これにより、ＣＰＵ１００−６は、ディスプレイ装置１００−１の表示内容を制御し、タッチセンサー１００−２に対して入力された情報を取得し、そして、操作パネル１００の筐体の回転角度を取得する。
【００６３】
ＣＰＵ１００−６は、本体１のＣＰＵ１０１と通信可能である。
ＣＰＵ１００−６は、ＣＰＵ１０１から受信した情報に従って、ディスプレイ装置１００−１の表示内容を制御する場合も有り得る。たとえば、ＣＰＵ１０１から印刷処理やスキャン処理についての設定情報の入力を要求された場合、ＣＰＵ１００−６は、ディスプレイ装置１００−１に、当該設定情報の入力を受け付ける画面を表示させる。また、ＣＰＵ１０１から画像読取装置４において取得された画像を受信すると、当該画像またはそのサムネイル画像を、ディスプレイ装置１００−１に表示させる。
【００６４】
また、ＣＰＵ１００−６は、タッチセンサー１００−２に対して入力された情報を、ディスプレイ装置１００−１の表示内容の制御に利用する場合もあれば、ＣＰＵ１０１に送信する場合もある。たとえば、上記したようにＣＰＵ１０１からの要求に基づいて印刷処理についての設定情報の入力を受け付ける画面をディスプレイ装置１００−１に表示させた場合、当該画面に入力された設定情報をＣＰＵ１０１に送信する。
【００６５】
また、ＣＰＵ１００−６は、３軸センサー１００−４によって検出された操作パネル１００の回転角度を、ＣＰＵ１０１に送信する場合もある。
【００６６】
＜操作パネルにおける保持方向の変更による表示内容の変更＞
図６は、操作パネル１００の保持方向を変更したときのディスプレイ装置１００−１における表示内容の変更を説明するための図である。なお、図６の（Ａ）は、図３の（Ａ）に示されるように、操作パネル１００がその長手方向を水平方向に沿った状態で保持されている状態を示す。また、図６の（Ｂ）は、操作パネル１００が、その図３の（Ｂ）に示されるように、図６の（Ａ）に示された状態から９０度回転した状態で保持されている状態が示されている。
【００６７】
本実施の形態の複合機９００では、ディスプレイ装置１００−１は、長方形の表示領域を有する。図６の（Ａ）に示された状態では、当該表示領域の長手方向が水平方向に沿うように位置している。
【００６８】
また、図６の（Ａ）を参照して、操作パネル１００のディスプレイ装置１００−１の表示領域には、画面５１０が表示されている。画面５１０は、ＨＤＤ１０４に格納されている画像のプレビュー画面である。画面５１０は、操作内容についてのメッセージを表示する表示欄５１１と、プレビュー画像を表示する表示欄５１２と、画面遷移の指示や設定内容を入力するための操作キーを表示する表示欄５１５とを含む。
【００６９】
表示欄５１２には、プレビュー画像を表示するための表示欄５１３が含まれている。表示欄５１３内には、プレビュー画像５１４が表示されている。
【００７０】
図６の（Ａ）に示された状態から、操作パネル１００が９０度回転された場合のディスプレイ装置１００−１における表示内容を、図６の（Ｂ）に示す。
【００７１】
図６の（Ｂ）のディスプレイ装置１００−１には、画面５２０が表示されている。画面５２０は、図６の（Ａ）のプレビューの画面５１０内に表示されているプレビュー画像５１４が拡大表示されたものに相当する。なお、複合機９００では、図６の（Ｂ）に示された状態から図６の（Ａ）に示された状態へと、操作パネル１００の回転が戻されると、ディスプレイ装置１００−１における表示内容も、図６の（Ａ）に示されるように戻される。
【００７２】
＜表示画面のデータ構成＞
図７および図８は、ディスプレイ装置１００−１における表示画面のデータの構成を説明するための図である。これらの図では、表示画面のデータが１以上のレイヤーのデータによって構成されることが示されている。
【００７３】
本実施の形態では、ディスプレイ装置１００−１に表示される画像は、特定の部分を含む。そして、図６の（Ａ）および図６の（Ｂ）を参照して説明したように、操作パネル１００が回転されてその保持される向きが変更された場合に、当該特定の部分画像が、図６の（Ｂ）に示されるように拡大されて表示される。
【００７４】
図７を参照して、図６の（Ａ）に示される画面５１０のデータ構成を説明する。画面５１０の画像データは、図７においてレイヤーＬＤ１で示されるように、レイヤーＬ１とレイヤーＬ２が重ね合わされて、生成される。画面５１０では、プレビュー画像５１４の画像データは、レイヤーＬ２として取得される。そして、画面５１０におけるプレビュー画像５１４以外の表示画像データは、レイヤーＬ１として、生成される。つまり、ＣＰＵ１００−６は、ＨＤＤ１０４や画像読取装置４から読出した画像に基づいて、レイヤーＬ２のデータを生成し、また、複合機９００の状態に応じてレイヤーＬ１のデータを生成する。そして、これらを合成して、レイヤーＬＤ１のデータを生成し、ディスプレイ装置１００−１に表示させる。
【００７５】
次に、図８を参照して、図６の（Ｂ）における画面５２０の画像データの生成について説明する。図８は、レイヤーＬ１とレイヤーＬ２の画像から、レイヤーＬ２の画像が抽出され、そして、レイヤーＬ２の画像が拡大されてレイヤーＬＤ２の画像が生成されることを示している。
【００７６】
ＣＰＵ１００−６は、操作パネル１００が図６の（Ａ）から図６の（Ｂ）に示されるように回転されると、レイヤーＬ１とレイヤーＬ２の合成されたものから、特定の部分に対応するレイヤーであるレイヤーＬ２を抽出する。そして、レイヤーＬ２の画像を、操作パネル１００の回転角度に対応するように（図６の（Ａ）から図６の（Ｂ）に示された例では９０度）対応する角度でだけ回転させた後、拡大して、新たにレイヤーＬＤ２を生成する。拡大する倍率としては、たとえば、レイヤーＬ２が回転された後の、その縦横比を変更することなく、ディスプレイ装置１００−１の表示領域に表示され得る最大の倍率とすることができる。
【００７７】
図９は、本実施の形態の複合機９００の比較例における操作パネル１００の表示態様を説明するための図である。
【００７８】
図９の（Ａ）は、図６の（Ａ）に示した操作パネル１００の状態のディスプレイ装置１００−１と同じ表示状態を示している。図９の（Ｂ）は、当該比較例の操作表示装置において、操作パネル１００が９０度回転された状態が示されている。
【００７９】
図９の（Ｂ）では、ディスプレイ装置１００−１には、図９の（Ａ）のディスプレイ装置１００−１に表示されていた画面５１０が、操作パネル１００の回転角度と同じ角度だけ回転され、かつ、縮小されて、画面５３０として表示されている。
【００８０】
画面５３０では、画面５１０と同じ縦横比が保持されている。そして、図９の（Ｂ）のディスプレイ装置１００−１内にその全体を表示され得る最大の大きさで、つまり図９の（Ａ）における画面５１０に対して縮小されて、表示されている。
【００８１】
図９の（Ｂ）の画面５３０では、プレビュー画像も縮小されて、表示されているため、非常にその内容が見にくくなっている。ユーザーは、当該プレビュー画像の詳細内容を確認するためには、ボタン操作やフォーカス位置の移動など、煩雑な操作を必要とされる。
【００８２】
一方、図６〜図８を参照して説明した本実施の形態に従った表示制御によれば、ユーザーは、操作パネルを回転させた場合でも、その内容の確認を必要とするプレビュー画像を、上記した煩雑な操作を行なうことなく、確認することができる。
【００８３】
＜回転表示処理＞
図１０は、図６を参照して説明した、操作パネル１００の保持の向きが回転された際にディスプレイ装置１００−１における表示画像の回転表示させるための処理（回転表示処理）のフローチャートである。
【００８４】
図１０を参照して、ＣＰＵ１００−６は、まずステップＳＡ１０で、ディスプレイ装置１００−１に、特定画像領域を含む画像を表示させて、ステップＳＡ２０へ処理を進める。ここで、特定画像領域とは、図６および図８を参照して説明した特定の部分に相当する。また、ステップＳＡ１０において表示される内容は、複合機９００の動作状態に応じたものとされる。ＣＰＵ１００−６は、ＣＰＵ１０１からの指示によって、ディスプレイ装置１００−１に表示させる画像の内容を決定する場合もあり得る。
【００８５】
次に、ステップＳＡ２０では、ＣＰＵ１００−６は、３軸センサー１００−４が、図３の（Ａ）および図３の（Ｂ）を参照して説明したような、操作パネル１００の回転を検出したか否かを判断し、検出したと判断するとステップＳＡ３０へ処理を進める。
【００８６】
ステップＳＡ３０では、ＣＰＵ１００−６は、３軸センサー１００−４から、回転角度を取得して、ステップＳＡ４０へ処理を進める。
【００８７】
ステップＳＡ４０では、ＣＰＵ１００−６は、ステップＳＡ３０で取得した回転角度を正規化して、ステップＡ５０へ処理を進める。
【００８８】
なお、ステップＳＡ４０における正規化によって、ステップＳＡ３０で検出された回転角度は、０度，９０度，１８０度，２７０度のいずれかへと変換される。なお、たとえば、回転角度が３１５度以上３５９度未満または０度以上４５度未満である場合には、正規化後の角度は０度とされる。また、回転角度が４５度以上１３５度未満である場合には、正規化後の角度は９０度とされる。また、検出された回転角度が１３５度以上２２５度未満である場合には、正規化後の回転角度は１８０度とされる。また、検出された回転角度が２２５度以上３１５度未満である場合には、正規化後の角度は２７０度とされる。
【００８９】
ステップＳＡ５０では、ＣＰＵ１００−６は、ステップＳＡ４０で正規化によって取得した回転角度に従って、処理を進める。回転角度が０度である場合には、ステップＳＡ２０へ処理を戻す。回転角度が９０度または２７０度である場合には、ステップＳＡ７０へ処理を進める。また、回転角度が１８０度である場合には、ステップＳＡ６０へ処理を進める。
【００９０】
ステップＳＡ６０では、ＣＰＵ１００−６は、ディスプレイ装置１００−１に表示させている画像を上下反転させるように、ディスプレイ装置１００−１における表示内容を更新して、処理を終了する。
【００９１】
一方、ステップＳＡ７０では、ＣＰＵ１００−６は、ディスプレイ装置１００−１に表示させていた画像から、特定画像領域を抽出して、ステップＳＡ８０へ処理を進める。
【００９２】
ステップＳＡ８０では、ＣＰＵ１００−６は、ステップＳＡ４０で正規化により取得した角度だけ、ステップＳＡ７０で抽出した特定画像領域の画像を回転させて、ステップＳＡ９０へ処理を進める。
【００９３】
ステップＳＡ９０では、ＣＰＵ１００−６は、ステップＳＡ８０で回転処理した画像（特定画像領域の画像）を、その縦横比を変えることなくディスプレイ装置１００−１の表示領域に最大限表示されるように、拡大させて、ディスプレイ装置１００−１に表示させ、ステップＳＡ１００へ処理を進める。
【００９４】
ステップＳＡ１００では、ＣＰＵ１００−６は、ステップＳＡ８０で回転処理した際の回転角度をマイコン１００−３のメモリーに格納して、処理を終了する。
【００９５】
以上説明した回転表示処理では、ステップＳＡ７０における特定画像領域の抽出が、図８に示したように、複数のレイヤー（レイヤーＬ１，Ｌ２）から特定の部分を含むレイヤー（レイヤーＬ２）を抽出することに相当する。
【００９６】
また、ステップＳＡ８０における特定画像領域の画像の回転、および、ステップＳＡ９０における特定画像領域の画像の拡大は、図８を参照して説明したように、レイヤーＬ２を回転させ、かつ、拡大させることにより、レイヤーＬＤ２を生成することに相当する。
【００９７】
＜回転解除表示処理＞
図１１は、図１０を参照して説明したような操作パネル１００の回転に伴うディスプレイ装置１００−１の表示内容の変更を解除するための処理（回転解除表示処理）のフローチャートである。
【００９８】
図１１を参照して、ステップＳＢ１０の、特定画像領域の回転拡大表示制御とは、図１０を参照して説明した回転表示制御に相当する。
【００９９】
その後、ＣＰＵ１００−６は、ステップＳＢ２０で、３軸センサー１００−４によって、操作パネル１００の回転が検出されたか否かを判断し、検出されたと判断するとステップＳＢ３０へ処理を進める。
【０１００】
ステップＳＢ３０では、ＣＰＵ１００−６は、３軸センサー１００−４から、検出された回転角度を取得して、ステップＳＢ４０へ処理を進める。
【０１０１】
ステップＳＢ４０では、ＣＰＵ１００−６は、ステップＳＡ４０（図１０参照）と同様に、３軸センサー１００−４によって検出された回転角度を正規化して、ステップＳＢ５０へ処理を進める。
【０１０２】
ステップＳＢ５０では、ＣＰＵ１００−６は、ステップＳＢ４０における正規化後の回転角度に従って、処理の進路を決定する。具体的には、ＣＰＵ１００−６は、回転角度が０度であれば、ステップＳＢ２０へ処理を戻し、回転角度が９０度または２７０度である場合にはステップＳＢ７０へ処理を進め、回転角度が１８０度である場合にはステップＳＢ６０へ処理を進める。
【０１０３】
ステップＳＢ６０では、ＣＰＵ１００−６は、ステップＡＳ６０（図１０参照）と同様に、ディスプレイ装置１００−１の表示画面を上下反転するように更新させて、処理を終了する。
【０１０４】
一方、ステップＳＢ７０では、ＣＰＵ１００−６は、ステップＳＡ１０（図１０参照）で表示されていたすべてのレイヤーの画像データ（図７のレイヤーＬＤ１）を表示対象として読込んで、ステップＳＢ８０へ処理を進める。
【０１０５】
ステップＳＢ８０では、ＣＰＵ１００−６は、ステップＳＢ７０で読込んだ画像の回転処理を行なって、ステップＳＢ９０へ処理を進める。
【０１０６】
ステップＳＢ８０での回転処理は、それまでの操作パネル１００の回転角度の総和に基づいて、行なわれる。ＣＰＵ１００−６は、ステップＳＡ１００（図１０参照）において格納された回転角度と、今回の回転解除表示処理においてステップＳＢ４０で取得した回転角度の和を、算出することにより、操作パネル１００の回転角度の総和を取得する。そして、回転角度の総和が、０度または３６０度である場合には、ステップＳＡ１０で表示させた画像を回転させることなく、ディスプレイ装置１００−１に表示させる。一方、上記総和が、１８０度または５４０度である場合には、ステップＳＡ１０で当初表示させた画像を１８０度回転させて（上下反転させて）、ディスプレイ装置１００−１に表示させる。
【０１０７】
次に、ＣＰＵ１００−６は、ステップＳＢ９０で、ステップＳＢ８０で取得した回転角度の総和をマイコン１００−３のメモリーに格納して、処理を終了する。
【０１０８】
以上図１１を参照して説明した回転解除表示処理によれば、図６の（Ａ）から図６の（Ｂ）のように操作パネル１００が９０度回転して保持された後、再度、図６の（Ａ）に示される状態へと９０度回転されて戻された場合に、ディスプレイ装置１００−１の表示は、図６の（Ａ）に示されるように、特定の部分を含む操作画面全体（画面５１０）へと戻される。
【０１０９】
＜変形例１＞
以上説明した本実施の形態の複合機９００では、操作パネル１００は複合機９００に固定されていたが、複合機９００の本体１に対して着脱可能であってもよい。
【０１１０】
図１２は、本変形例の複合機９００の構成を模式的に示す図である。
図１２の（Ａ）には、複合機９００の本体１が示されている。そして、図１２の（Ｂ）および（Ｃ）には、複合機９００の本体１から取外された状態の操作パネル１００が示されている。本体１から取外された操作パネル１００は、図１２の（Ｂ）に示される状態をとることもでき、また、当該状態に対して９０度回転された図１２の（Ｃ）に示された状態をとることもできる。また、操作パネル１００は、複合機９００の本体１に固定されていないので、９０度以外にも自由に回転されることが可能となっている。
【０１１１】
図１３は、図１２に示した複合機９００の制御ブロック図である。
図１３を参照して、本変形例の操作パネル１００が、図４を参照して説明した操作パネル１００に加え、さらにインターフェイス１００−７を備えている。また、複合機９００の本体側にも、インターフェイス１１３が備えられている。本変形例では、操作パネル１００は、インターフェイス１００−７を介して複合機９００の本体１と通信する。当該本体１の各要素は、インターフェイス１１３を介して、操作パネル１００と通信する。
【０１１２】
そして、本変形例の操作パネル１００のＣＰＵ１００−６は、図１０および図１１を参照して説明した処理（回転表示処理および回転解除表示処理）を実行する。これにより、図１２の（Ｂ）および（Ｃ）を参照して説明したように、複合機９００の本体１から取外された操作パネル１００が回転された場合にも、図６の（Ａ）および（Ｂ）を参照して説明したように、その回転角度に応じて、ディスプレイ装置１００−１の表示内容が更新される。
【０１１３】
本変形例では、複合機９００によって操作表示装置が構成される場合には、操作パネル１００は、複合機９００の操作内容を表示するための装置として機能する。また、操作パネル１００によって操作表示装置が構成される場合には、操作パネル１００には操作パネル１００自体の操作内容が表示される。
【０１１４】
＜変形例２＞
以上説明した本実施の形態では、特定の部分として抽出されて拡大表示された画像は、ＨＤＤ１０４に格納された画像データであったが、上記のように抽出され拡大表示される対象は、このような画像に限定されない。
【０１１５】
本変形例では、このように抽出および拡大表示される画像は、操作表示装置に対して操作の指示を入力するために、操作対象となる画像とされる。図１４は、本変形例における、操作パネル１００のディスプレイ装置１００−１における表示内容を説明するための図である。
【０１１６】
まず、図１４の（Ａ）を参照して、操作パネル１００のディスプレイ装置１００−１には、画面５４０が表示されている。画面５４０は、ユーザーに対して操作内容を説明するメッセージを表示する表示欄５４１と、操作内容のガイドを表わす画像を表わす表示欄５４２と、操作情報を入力するためのソフトウェアボタンをリスト表示する表示欄５４３とを含む。
【０１１７】
表示欄５４３には、画像読取装置４に画像を読取らせる際の設定項目のそれぞれに対応したソフトウェアボタンがリスト表示されている。設定項目としては、原稿画質、片面／両面、解像度、ファイル形式、濃度、および、カラーを含む。なお、複合機９００では、読込設定について、さらに多くの項目について、設定が可能なように構成されている。つまり、図１４の（Ａ）の表示欄５４３に表示されたソフトウェアボタンは、複合機９００において設定可能な項目の一部項目を示している。そして、表示欄５４３では、上下方向にソフトウェアボタンが並べられているが、さらに、上下方向に、この時点では表示されていない、さらなる設定項目についてのソフトウェアボタンを順次表示させることができる。
【０１１８】
本実施の形態の画面５４０では、表示欄５４３が、特定の部分とされる。
つまり、画面５４０の表示データは、図７のレイヤーＬ２に基づいて表示される。
【０１１９】
図１４の（Ｂ）には、図１４の（Ａ）に示された状態から、操作パネル１００が９０度回転された状態が示されている。
【０１２０】
図１４の（Ｂ）では、操作パネル１００のディスプレイ装置１００−１には、画面５５０が表示されている。画面５５０は、図１４の（Ａ）の表示欄５４３において表示されていたソフトウェアボタンのリストが、拡大されて、表示されている。なお、図１４の（Ｂ）の画面５５０では、ソフトウェアボタンのリスト表示としてのための表示領域が画面５４０よりも拡大されたことによって、表示欄５４３において表示されていたよりも、多くのソフトウェアボタンが、表示されている。また、画面５５０では、ソフトウェアボタンは、上下方向にスクロール可能に表示される。
【０１２１】
＜変形例３＞
以上説明した本実施の形態では、操作パネル１００を保持する向きが変更された場合、ディスプレイ装置１００−１に表示されている画像から特定の部分の画像（特定画像領域の画像）が抽出され、当該画像の向きを変更後の操作パネル１００の向きに合せて回転させるとともに、拡大表示された（図６の（Ａ）および図６の（Ｂ）とを参照）。
【０１２２】
なお、特定の部分の画像の回転は、当該画像の特性に応じて、選択的に行なわれてもよい。
【０１２３】
図６の（Ａ）の画面５１０に表示された特定の部分の画像（プレビュー画像５１４）は、その長手方向が、操作パネル１００のディスプレイ装置１００−１の長手方向と交わる方向にある。プレビュー画像５１４は縦長の画像であり、ディスプレイ装置１００−１の表示領域は横長である。
【０１２４】
図６の（Ｂ）に示された状態では、ディスプレイ装置１００−１の表示領域は縦長である。つまり、保持される方向が変更された後の操作パネル１００では、ディスプレイ装置１００−１の長手方向は、正立した状態のプレビュー画像５１４の長手方向に沿った方向である。
【０１２５】
このように、保持される方向を変更された後の操作パネル１００におけるディスプレイ装置１００−１の長手方向が、特定の部分の画像の正立した状態での長手方向に沿う場合には、当該画像を操作パネル１００の回転に合わせて回転させることが好ましい。
【０１２６】
一方、保持される方向を変更された後の操作パネル１００におけるディスプレイ装置１００−１の長手方向が特定の部分の画像の正立した状態での長手方向と交わる場合には、操作パネル１００が回転されても、当該画像を回転しない制御も有り得る。
【０１２７】
図１５は、本変形例の複合機９００のディスプレイ装置１００−１における、操作パネル１００の回転に伴う表示内容の変更を説明するための図である。
【０１２８】
図１５の（Ａ）には、ディスプレイ装置１００−１内に、図６の（Ａ）のプレビュー画像５１４がプレビュー画像５６４に変更された画面５６０が示されている。画面５６０は、操作のためのメッセージを表示する表示欄５１１と、プレビュー画面を表示する表示欄５１２と、操作ボタンを表示する表示欄５１５とを含む。表示欄５１２の中の表示欄５１３には、プレビュー画像５６４が表示されている。プレビュー画像５６４は、正立した状態で横長の、つまり、その長手方向が左右方向に沿う画像である。
【０１２９】
図１５の（Ｂ）は、操作パネル１００が、図１５の（Ａ）に示された状態から、９０度回転されたときのディスプレイ装置１００−１の表示内容を示す。
【０１３０】
図１５の（Ｂ）に示された状態では、ディスプレイ装置１００−１の表示領域は縦長である。つまり、画面５６０に表示されたプレビュー画像５６４の正立した状態における長手方向と、回転後の操作パネル１００におけるディスプレイ装置１００−１の長手方向とは異なっている。これにより、図１５の（Ｂ）では、正立した状態にあるプレビュー画像の長手方向が、ディスプレイ装置１００−１の長手方向に沿う状態で、表示されている。
【０１３１】
つまり、本変形例では、操作パネル１００が回転の保持される向きが変更された場合、変更後のディスプレイ装置１００−１の表示領域の長手方向と、特定の部分の画像の長手方向との関係に基づいて、回転後の操作パネル１００において特定の部分の画像を回転させるか否かが判断される。具体的には、回転後の操作パネル１００におけるディスプレイ装置１００−１の長手方向が、回転前のディスプレイ装置１００−１に表示された特定の部分の画像の長手方向に沿わない場合には、回転後の操作パネル１００では特定の部分の画像は回転されることなく拡大表示される。一方、それ以外の場合には、特定の部分の画像は、回転後の操作パネル１００において回転された上で、拡大表示される（図６の（Ａ）および（Ｂ）参照）。
【０１３２】
＜変形例４＞
以上説明した本実施の形態および各変形例では、ディスプレイ装置１００−１に表示される画面が含む特定の部分の数は「１」であった。なお、当該画面に表示の画像が複数の特定の部分の画像を含む場合、図６を参照して説明したような操作パネル１００の回転の際に回転および拡大される画像として抽出される画像を当該複数の特定の部分から選択することができる。
【０１３３】
図１６は、本変形例の操作パネル１００の回転に伴ったディスプレイ装置１００−１の表示内容の変化を説明するための図である。
【０１３４】
図１６の（Ａ）には、ディスプレイ装置１００−１の長手方向が左右方向に沿う状態にある操作パネル１００が示されている。ディスプレイ装置１００−１には、画面５８０が表示されている。画面５８０は、表示欄５１１と、表示欄５１２と、表示欄５８５とを含む。表示欄５８５には、図１４の（Ａ）の表示欄５４３と同様に、縦方向にスクロール表示される複数の操作ボタンが示されている。
【０１３５】
画面５８０では、プレビュー画像５１４と表示欄５８５とが、特定の部分を構成している。画面５８０の構成を、図１７を参照して説明する。図１７は、図１６の（Ａ）の画面５８０の構成を模式的に示す図である。
【０１３６】
画面５８０は、表示欄５８５に対応する表示データを構成するレイヤーＬ１２と、プレビュー画像５１４の画像データを構成するレイヤーＬ１３と、それ以外の部分の表示データを構成するレイヤーＬ１１とが合成され、図１７の（Ｂ）に示されるように、図１７の（Ａ）のレイヤーＬ１１〜Ｌ１３が合成されて生成されたレイヤーＬＤ１１が、画面５８０を構成する画像データに相当する。
【０１３７】
本変形例では、操作パネル１００の回転に伴って拡大および回転表示される画像が特定されることにより、操作パネル１００の回転時に選択されるレイヤーが特定される。
【０１３８】
図１８は、操作パネル１００の回転に伴った画像データの生成を説明するための図である。
【０１３９】
操作パネル１００の回転が検出されると、図１８の（Ａ）に示されたレイヤーＬ１１〜Ｌ１３から、上記の図１８の（Ｂ）に示されるように、上記のように特定されたレイヤーが選択される。図１８の（Ｂ）では、レイヤーＬ１３が選択対象として特定されている例が示されている。そして、このように選択されたレイヤーの画像は、図８を参照して説明したように、回転および拡大されて、図１８の（Ｃ）に示されるように、レイヤーＬＤ１２として、ディスプレイ１００−１に表示される。
【０１４０】
図１６の（Ａ）に示された状態から、９０度回転された操作パネル１００における、ディスプレイ１００−１の表示内容を、図１６の（Ｂ）を参照して説明する。
【０１４１】
図１６の（Ｂ）では、ディスプレイ装置１００−１には、画面５９０が表示されている。画面５９０は、図１６の（Ａ）のプレビュー画像５１４が、９０度回転されて、拡大された後の画像を表示する画面である。
【０１４２】
つまり、図１６では、画面５８０の複数の特定の画像（プレビュー画像５１４と表示欄５８５）のうち、プレビュー画像５１４が、拡大および回転して表示させる画像として選択された状態が示されている。
【０１４３】
図１９は、図１６を参照して説明したような、複数の特定の画像から拡大および回転表示させる画像の選択を受付ける処理のフローチャートである。
【０１４４】
図１９を参照して、ＣＰＵ１００−６は、タッチセンサー１００−２に対して所定の操作がなされると、または、ＣＰＵ１０１からの指示を受けて、ステップＳＣ１０で、拡大等の対象エリアの指定を受付ける。
【０１４５】
このとき、ＣＰＵ１００−６は、たとえば、ディスプレイ装置１００−１に、図２０に示すような画面を表示させる。
【０１４６】
図２０を参照して、ディスプレイ装置１００−１には、画面５９１が表示されている。画面５９１は、画面５８０（図１６の（Ａ）参照）に含まれる複数の特定の画像が、「プレビュー画像」「操作アイコンリスト」としてリスト表示されている。表示欄５９２は、「プレビュー画像」を選択するために操作される欄である。また、表示欄５９３は、「操作アイコンリスト」を選択するために操作される欄である。
【０１４７】
ユーザーは、これらのいずれかの表示欄を操作した後、設定ボタン５９４を操作することにより、拡大等の対象エリアの指定を、入力する。
【０１４８】
次に、ＣＰＵ１００−６は、ステップＳＣ２０で、複数の特定の部分の画像のうち回転および拡大の対象となる画像（特定画像領域の画像）の指定する操作があったか否かを判断し、そのような操作があったと判断するとステップＳＣ３０へ処理を進める。なお、このような操作の一例としては、図２０の画面５９１に対する、表示欄５９２または表示欄５９３に対する操作、および、設定ボタン５９４に対する操作が挙げられる。
【０１４９】
そして、ステップＳＣ３０では、ＣＰＵ１００−６は、ステップＳＣ２０で指定を受付けた内容をマイコン１００−３の記憶領域に登録して、処理を終了させる。
【０１５０】
以上説明した本変形例では、回転表示処理（図１０参照）のステップＳＡ７０では、上記のように指定された画像に対応する領域が抽出される。このような領域の抽出は、図１８の（Ａ）および（Ｂ）を参照して説明した内容に相当する。
【０１５１】
＜その他の変形例＞
以上説明した実施の形態およびその変形例では、ディスプレイ装置１００−１に表示される画面は、複数のレイヤーによって構成され、そして、特定の部分の画像（特定画像領域の画像）は、上記した複数のレイヤーのうち他のレイヤーとはレイヤーを分けて、そのデータが構成されていた。
【０１５２】
なお、操作表示装置において表示される画像の画像データの構成は、このような構成に限定されるものではない。たとえば、マークアップ言語で記述された文書に基づいた画像であってもよいし、ビットマップデータやベクター・データに基づいて表示される画像であってもよい。また、これらの画像において特定の部分を指定する方法についても、画像における一部分を指定する周知の方法、たとえば、マークアップ言語の記述においてタグで指定する等、が採用されてもよい。
【０１５３】
また、以上説明した実施の形態およびその変形例では、図６等を参照されることにより、回転表示処理（図１０参照）では、ディスプレイ装置１００−１が横長の状態から縦長の状態へと回転され、また、回転解除表示処理（図１１参照）では、ディスプレイ装置１００−１が縦長の状態から横長の状態へと回転される場合が例示された。回転表示処理および回転解除表示処理のそれぞれが対象とする操作パネル１００の回転態様は、これに限定されない。たとえば、回転表示処理は、ディスプレイ装置１００−１が縦長の状態から横長の状態へと回転され、また、回転解除表示処理は、ディスプレイ装置１００−１が横長の状態から縦長の状態へと回転される場合も対象とすることがあり得る。
【０１５４】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、実施の形態および各変形例において説明された発明は、可能な限り、単独でも、組合わせても、実施することが意図される。
【符号の説明】
【０１５５】
１００  操作パネル、１００−１  ディスプレイ装置、１００−２  タッチセンサー、１００−３  マイコン、１００−４  ３軸センサー、１００−６  ＣＰＵ、９００  複合機。
【図１】
0005533891.tif 000002
【図２】
0005533891.tif 000003
【図３】
0005533891.tif 000004
【図４】
0005533891.tif 000005
【図５】
0005533891.tif 000006
【図６】
0005533891.tif 000007
【図７】
0005533891.tif 000008
【図８】
0005533891.tif 000009
【図９】
0005533891.tif 000010
【図１０】
0005533891.tif 000011
【図１１】
0005533891.tif 000012
【図１２】
0005533891.tif 000013
【図１３】
0005533891.tif 000014
【図１４】
0005533891.tif 000015
【図１５】
0005533891.tif 000016
【図１６】
0005533891.tif 000017
【図１７】
0005533891.tif 000018
【図１８】
0005533891.tif 000019
【図１９】
0005533891.tif 000020
【図２０】
0005533891.tif 000021